【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
金融システムにおける勘定構成ユーザ・インタフェースを提供するための、コンピューティング装置で実行される方法であって、
コンピューティング装置のプロセッサにより提供される勘定構成ユーザ・インタフェースを介して勘定構造を編集するためのユーザ要求を受け取るステップと、
勘定科目と前記勘定科目に関連するディメンションの組合せとを前記コンピューティング装置に関連付けられるディスプレイ装置を介して木構造で提示することにより、前記ユーザが前記勘定構造をグラフィカルな単一ビューのユーザ・インタフェースで編集できるようにするステップと、
前記グラフィカルな単一ビューのユーザ・インタフェースにおいて前記勘定構造の１つ又は複数の特定の要素にユーザがフォーカスすることを可能にするステップであって、前記ディメンションの組合せ及び前記ディメンションの組合せに関連付けられるコントロールの少なくとも一部が、現在フォーカスされている勘定構造の要素に基づいて再配置される、ステップと、
ディメンションを定義し、前記ディメンションを勘定科目と組合せ、前記ディメンションの組合せが適用される場合についての規則を設定することにより、前記ユーザが前記勘定構造を編集することを可能にするステップと、
ユーザが編集した勘定科目とディメンションの組合せとを前記プロセッサにより実行される勘定科目一覧表編集モジュールにおいて所定の勘定規則に対して検証するステップと、
前記プロセッサにより提供される前記勘定構成ユーザ・インタフェースを介して前記ユーザに検証結果を通知するステップと、
前記プロセッサにより提供される前記勘定構成ユーザ・インタフェースを介して前記金融システムの他のユーザが使用可能となるように、前記ユーザが前記勘定構造をアクティブにすることを可能にするステップと、
前記勘定構成ユーザ・インタフェースを介して、前記金融システムの総勘定元帳に関連付けられる前記ユーザが編集した勘定科目のリストを含む前記ユーザが編集した勘定科目の関連一覧表を提供するステップであって、前記勘定科目は１つ又は複数のディメンションを有する前記関連一覧表において１つ又は複数のインスタンスでリストされる、ステップと、
前記勘定構造を設定及び修正するために、コピー、ペースト、削除及び移動を含む標準的な機能を使用して、前記ディメンションの組合せの修正、作成および削除のうちの少なくとも１つを提供するステップと
を含むことを特徴とする方法。
【請求項２】
前記ディメンションの組合せが、列で整列されている同種のディメンションとともに行として表示されることを特徴とする請求項１に記載の方法。
【請求項３】
勘定科目と関連する複数のディメンションの組合せをグラフィカルなスキームを用いて表示して、前記勘定科目と関連する前記複数のディメンションの組合せとの親子関係が前記ユーザに視覚的に提示されるようにしたことを特徴とする請求項２に記載の方法。
【請求項４】
提示された勘定構造を前記勘定構成ユーザ・インタフェース内で編集するための複数のグラフィカル・コントロールおよびテキスト・コントロールを提示するステップをさらに含むことを特徴とする請求項１に記載の方法。
【請求項５】
前記ユーザが所定の勘定規則を編集できるようにするステップと、
前記ユーザが、編集された前記勘定構造を編集された前記勘定規則に基づいて検証できるようにするステップと
をさらに含むことを特徴とする請求項１に記載の方法。
【請求項６】
１組の色のスキーム、陰影のスキーム、およびテキスト・スタイルのスキームのうち少なくとも１つを提供して、前記勘定構造の要素が現在前記ユーザによってフォーカスされていることを示すステップをさらに含むことを特徴とする請求項１に記載の方法。
【請求項７】
前記ユーザの編集中は前記勘定構造を非活性モードとして、前記金融システムの他のユーザが新たなデータを前記勘定構造に入力できないようにしたことを特徴とする請求項１に記載の方法。
【請求項８】
金融システムにおける勘定構成ユーザ・インタフェースを提供するためのコンピューティング装置であって、
表示装置と、
メモリと、
勘定構造を編集するためのユーザ要求を受け取ったことに応答して、勘定科目と前記勘定科目に関連するディメンションの組合せとを木構造と行列の組合せの形式で提示する単一ビューの勘定構成ユーザ・インタフェースを表示し、
前記勘定構造の１つ又は複数の特定の要素がフォーカスされるように、前記ユーザが、前記勘定構造を、前記勘定構成ユーザ・インタフェースを介して提示したグラフィカル・コントロールとテキスト・コントロールにより編集できるようにし、
ディメンションを定義し、前記ディメンションを勘定科目と組合せ、前記ディメンションの組合せが適用される場合についての規則を設定することにより、ユーザが前記勘定構造を編集することを可能にし、
ユーザが編集した勘定科目とディメンションの組合せとを所定の勘定規則に対して検証し、
前記ユーザに検証結果を通知し、
前記金融システムの他のユーザが使用可能となるように、前記ユーザが前記勘定構造をアクティブにすることを可能にし、
前記金融システムの少なくとも１人の他のユーザが前記少なくとも１人の他のユーザの資格に基づいて前記勘定構造の少なくとも一部を編集できるようにするための許可情報を前記ユーザが設定することを可能にし、
展開され又は折り畳まれる前記ユーザが編集した勘定科目の階層的な関係を反映する木構造において関連する行として、前記ユーザが編集した勘定科目を表示し、
前記ディメンションの組合せの各々の隣の前記ディメンションの組合せの各々のアクティブな範囲を表示する
ように構成された金融アプリケーションを実行する、前記メモリに接続されたプロセッサと、
を備えることを特徴とするコンピューティング装置。
【請求項９】
前記金融アプリケーションがさらに、ユーザにより編集された前記勘定科目とディメンションの組合せに関連する追加の情報をテキスト手段およびグラフィカル手段のうち少なくとも１つにより表示するように構成されたことを特徴とする請求項８に記載のコンピューティング装置。
【請求項１０】
前記ユーザに対して前記勘定構造の可能な構成に関する視覚的なアフォーダンスを提供するように、異なるディメンションのタイプが、グラフィカルなスキームを用いて別個の列に表示され、前記ユーザにより現在フォーカスされているディメンションの組合せが別のグラフィカルなスキームにより強調されたことを特徴とする請求項８に記載のコンピューティング装置。
【請求項１１】
前記コントロールの少なくとも一部が、前記ユーザにより現在フォーカスされている勘定構造の要素に基づいて再配置されることを特徴とする請求項８に記載のコンピューティング装置。
【請求項１２】
前記金融アプリケーションがさらに、前記ユーザが、編集された勘定構造を前記コントロールのうち１つによりアクティブ・モードでプレビューできるように構成されたことを特徴とする請求項８に記載のコンピューティング装置。
【請求項１３】
金融システムにおける勘定構成ユーザ・インタフェースを提供するための命令を記憶したコンピュータ読取可能記憶装置であって、前記命令は、
勘定構造を編集するためのユーザ要求を受け取ったことに応答して、勘定科目と前記勘定科目に関連するディメンションの組合せとを木構造と行列の組合せの形式で提示する単一ビューの勘定構成ユーザ・インタフェースを表示するステップと、
テキスト・スキームとグラフィカル・スキームを使用して前記勘定構造の要素を視覚的に首尾一貫して提示する形で、前記ユーザが、前記勘定構造を、前記勘定構成ユーザ・インタフェースを介して提示したグラフィカル・コントロールおよびテキスト・コントロールにより編集できるようにするステップと、
前記ユーザが、ディメンションを定義し、前記ディメンションを前記勘定科目と組合せ、前記ディメンションの組合せが適用される場合についての規則を設定することにより、前記勘定構造を編集できるようにするステップと、
編集された勘定構造の要素に関連する追加の情報を表示するステップと、
ユーザ要求および自動検証規則のうち１つに基づいて、ユーザが編集した勘定科目とディメンションの組合せとを所定の勘定規則に対して検証するステップと、
前記ユーザに検証結果を通知するステップであって、テキストの又はグラフィカルな警告インジケータを使用して、勘定規則違反の前記ユーザが編集した勘定科目及びディメンションの組合せに関して前記ユーザに警告を与える、ステップと、
前記金融システムの他のユーザが使用可能となるように、前記ユーザが前記勘定構造をアクティブにすることを可能にするステップと、
前記グラフィカルなユーザ・インタフェースを介して、前記金融システムの総勘定元帳に関連付けられる前記ユーザが編集した勘定科目のリストを含む、前記ユーザが編集した勘定科目の関連一覧表を提供するステップと、
前記勘定構造を設定及び修正するために、コピー、ペースト、削除及び移動を含む標準的な機能を用いて、前記ディメンションの組合せの修正、作成および削除のうちの１つを提供するステップと、
簡潔に参照するために展開され又は折り畳まれる前記ユーザが編集した勘定科目の階層的関係を反映する木構造における関連する行として、前記ユーザが編集した勘定科目を表示するステップと、
前記ディメンションの組合せの各々の隣の前記ディメンションの組合せの各々のアクティブな範囲を表示するステップと
を含むことを特徴とするコンピュータ読取可能記憶媒体。
【請求項１４】
前記命令がさらに、編集要求に応答して、前記ユーザにより編集された前記勘定科目に関連するパラメータを定義するためのダイアログ・ボックスを提示するステップを含むことを特徴とする請求項１３に記載のコンピュータ読取可能記憶媒体。
【請求項１５】
前記命令がさらに、前記ユーザが、少なくとも１人の他のユーザが前記少なくとも１人の他のユーザの資格に基づいて前記勘定構造の少なくとも一部を編集できるようにするための許可情報を設定できるようにするステップをさらに含むことを特徴とする請求項１３に記載のコンピュータ読取可能記憶媒体。